(57)【要約】【課題】光ディスクを同じ位置で片持ち状態となるのを防止すること。【解決手段】中央制御部９は、保持状態検出部８が光ディスクの片持ち状態を検出してから内蔵するタイマーにより計測した時間が所定時間経過すると、ローディング制御部７に光ディスク１の引き込みを行うよう指示する。【選択図】図１
2012195032.tif 000002
【特許請求の範囲】
【請求項１】
光ディスクへの書き込み又は読み取りを制御する光ディスクヘッド制御部と、
前記光ディスクの回転を制御するスピンドルモータ制御部と、
ローラにより前記光ディスクの排出又は引き込みを制御するローディング制御部と、
光ディスクの保持状態を検出する保持状態検出部と、
前記保持状態検出部の検出結果及び内蔵するタイマーの計測に基づき、前記スピンドルモータ制御部又は前記ローディング制御部を制御する制御部と、を備え、
前記制御部は、
前記保持状態検出部が光ディスクの片持ち状態を検出してから前記タイマーにより計測した時間が所定時間経過した場合には、前記ローディング制御部に前記光ディスクの引き込みを行うよう指示する、
車載電子機器。
【請求項２】
前記制御部は、
前記保持状態検出部が光ディスクの片持ち状態を検出してから前記所定時間経過後に、前記引き込まれた光ディスクを排出する場合には、当該車載電子機の起動があったか否かを判定し、
当該車載電子機器の起動があったと判定した場合には、当該光ディスクをわずかに回転させるよう前記スピンドルモータ制御部に指示する、
車載電子機器。
【発明の詳細な説明】
【技術分野】
【０００１】
本発明は、車両等に搭載される光ディスクを再生可能な車載電子機器に関する。
【背景技術】
【０００２】
従来の光ディスク装置には、ローディングローラで光ディスクを挿入・排出を行う形式のものがある。この光ディスク装置では、排出完了時に、光ディスクの一部を装置内のローディングローラで片持ちしている。そのため、光ディスクを片持ち状態で長時間に亘って放置すると、光ディスク自体の荷重によって光ディスクが変形する場合がある。
【０００３】
特に、車両などに搭載された光ディスク装置では、例えば、ユーザが光ディスクを片持ち状態から引き抜かずに車両から離れると、光ディスクが片持ち状態で放置されることが考えられる。片持ち状態で放置されたために光ディスクが変形すると、光ディスク装置は、フォーカスサーボやトラッキングサーボなどの引き込みができなくなる場合がある。
【０００４】
特許文献１に開示されている技術では、排出時に光ディスクが傾かないようにシャッタを設けている。
【先行技術文献】
【特許文献】
【０００５】
【特許文献１】特開２００７−３１７３５６号公報
【発明の概要】
【発明が解決しようとする課題】
【０００６】
しかしながら、特許文献１に開示されている技術では、排出時だけ光ディスクの傾きを防止できるものの、排出後、光ディスクが片持ち状態で放置される場合までは考慮されていない。
【０００７】
本発明の目的は、光ディスクを同じ位置で片持ち状態となるのを防止できる車載電子機器を提供することである。
【課題を解決するための手段】
【０００８】
本発明は、光ディスクへの書き込み又は読み取りを制御する光ディスクヘッド制御部と、前記光ディスクの回転を制御するスピンドルモータ制御部と、ローラにより前記光ディスクの排出又は引き込みを制御するローディング制御部と、光ディスクの保持状態を検出する保持状態検出部と、前記保持状態検出部の検出結果、及び内蔵するタイマーに基づき、前記スピンドルモータ制御部又は前記ローディング制御部を制御する制御部と、を備え、前記制御部は、前記保持状態検出部が光ディスクの片持ち状態を検出してから前記タイマーにより計測した時間が所定時間経過した場合には、前記ローディング制御部に前記光ディスクの引き込みを行うよう指示する、車載電子機器を提供する。
【０００９】
上記車載電子機器では、前記制御部は、前記保持状態検出部が光ディスクの片持ち状態を検出してから前記所定時間経過後に、前記引き込まれた光ディスクを排出する場合には、当該車載電子機の起動があったか否かを判定し、当該車載電子機器の起動があったと判定した場合には、当該光ディスクをわずかに回転させるよう前記スピンドルモータ制御部に指示する。
【発明の効果】
【００１０】
本発明に係る車載電子機器によれば、光ディスクを同じ位置で片持ち状態となるのを防止できる。
【図面の簡単な説明】
【００１１】
【図１】本発明の実施の形態に係る車載光ディスク装置１０の構成を示すブロック図
【図２】光ディスク１の片持ち状態を説明するための図
【図３】（ａ）〜（ｅ）は、車載光ディスク装置１０の制御に基づく光ディスク１の状態遷移を説明するための図
【図４】車載光ディスク装置１０の動作フロー
【発明を実施するための形態】
【００１２】
以下、本発明の実施の形態について、図面を参照して説明する。
【００１３】
図１は、本発明の実施の形態に係る車載電子機器に適用可能な車載光ディスク装置１０の構成を示すブロック図である。図１に示す車載光ディスク装置１０は、光ディスクヘッド装置２と、光ディスクヘッド制御部３と、スピンドルモータ４と、スピンドルモータ制御部５と、ローディング装置６と、ローディング制御部７と、保持状態検出部８と、中央制御部９と、を備える。なお、ユーザは、図示しない遠隔操作部により、中央制御部９へ排出コマンドや引き込みコマンド等の操作指示を出力して、車載光ディスク装置１０を操作することができる。
【００１４】
車載光ディスク装置１０は、ディスク状の記録媒体である光ディスク１の記録及び再生を行う機能を有しており、光ディスク１がその直径方向に開口部１０ａから挿入され、光ディスク１の記録又は再生が行われる。光ディスク１には、例えば、Ｂｌｕ−ｒａｙ  Ｄｉｓｃ（登録商標）、ＣＤ、ＤＶＤが含まれる。
【００１５】
中央制御部９は、中央演算処理装置（ＣＰＵ）、メモリ等で構成され、スピンドルモータ制御部５、光ディスクヘッド制御部３、ローディング制御部７、保持状態検出部８など、車載光ディスク装置１０の全体を制御する。
【００１６】
スピンドルモータ制御部５は、スピンドルモータ４を制御する。スピンドルモータ４は、スピンドルモータ制御部５の制御に基づき、装置内に引き込まれた光ディスク１の回転を制御する。
【００１７】
また、光ディスクヘッド制御部３は、光ディスクヘッド装置２を制御する。光ディスクヘッド装置２は、光ディスクヘッド制御部３の制御に基づき、回転中の光ディスク１からの信号の読み取り又は光ディスク１への書き込み等を行う。
【００１８】
ローディング制御部７は、ローディング装置６を制御する。ローディング装置６は、ローディングローラ６ａを備え、ローディング制御部７の制御に基づき、ローディングローラ６ａを回転させて、光ディスク１の排出又は引き込みを行う。
【００１９】
保持状態検出部８は、車載光ディスク装置１０の開口部１０ａ付近に設けられ、中央制御部９により制御される。保持状態検出部８は、光ディスク１の保持状態を検出し、その検出結果を中央制御部９に出力する。
【００２０】
中央制御部９は、排出コマンド、引き込みコマンドなどの操作指示に基づき、光ディスク１の排出又は引きこみを行うようローディング制御部７を制御する。
中央制御部９は、再生コマンド、記録コマンドなどの操作指示に基づき、スピンドルモータ制御部５、光ディスクヘッド制御部３、ローディング制御部７を制御して、光ディスク１の記録又は再生をする。
【００２１】
ここで、図２を参照して光ディスク１の片持ち状態について説明する。図２に示すように、ローディング装置６がローディングローラ６ａを回転させて光ディスク１を開口部１０ａから排出すると、光ディスク１は、その一端がローディングローラ６ａにより挟持されて傾いた状態（以下、「片持ち状態」という）となる。そのため、光ディスク１がローディングローラ６ａから取り外される、若しくは光ディスク１が装置内に引き込まれないと、常に光ディスク１の同じ片持ち位置Ｐでローディングローラ６ａにより挟持されたままになる。
【００２２】
特に、車載光ディスク装置１０では、光ディスク１が厳しい周囲環境（高温下など）下で片持ち状態のまま放置される可能性が室内などに設置される場合と比べて高い。さらに、光ディスク１の薄型化により、常に光ディスク１の同じ片持ち位置Ｐでローディングローラ６ａにより挟持されたままになると、光ディスク１が変形してしまう。
【００２３】
例えば、Ｂｌｕ−ｒａｙ  Ｄｉｓｃ（登録商標）のカバー層は０．１ｍｍ程度の厚さしかないので、常に、光ディスク１の同じ片持ち位置Ｐでローディングローラ６ａにより光ディスク１が挟持されたままだと、車載光ディスク装置１０での記録又は再生ができなくなる場合もある。
【００２４】
したがって、本実施の形態に係る車載光ディスク装置１０は、以下のような中央制御部９の制御に基づき、光ディスク１が常に同じ片持ち位置Ｐでローディングローラ６ａにより挟持されて片持ち状態になることを防ぐ。
【００２５】
中央制御部９は、保持状態検出部８の検出結果に基づき、光ディスク１が片持ち状態であるか否か判定する。光ディスク１が片持ち状態であると判定された場合には、中央制御部９は、内蔵するタイマーにより、光ディスク１の保持時間を測定する。そして、片持ち状態で所定時間経過すると、中央制御部９は、ローディング制御部７を制御して、車載光ディスク装置１０内へ光ディスク１を引き込む。
【００２６】
光ディスク１が片持ち状態でないと判定された場合には、光ディスク１が取り出されたものとして動作を終了する。そのため、長時間片持ち状態で光ディスク１が保持されるのを防ぐことができる。
【００２７】
さらに、中央制御部９が、光ディスク１が引き込まれた状態で排出コマンドを再び受けると、この排出コマンドを受ける前に車載光ディスク装置１０が起動されているか否かを判定する。そして、中央制御部９が、車載光ディスク装置１０が起動されていると判定すると、スピンドルモータ制御部５を介して、スピンドルモータ４を制御して、光ディスク１をわずかに回転させる（図３（ｂ）参照）。
【００２８】
このような制御により、光ディスク１が常に同じ片持ち位置Ｐでローディングローラ６ａにより挟持されて片持ち状態になることを防ぐ（図３（ｂ）参照）。
【００２９】
図３（ａ）〜（ｅ）は、本実施の形態に係る車載光ディスク装置１０の制御に基づく、光ディスク１の状態遷移を説明するための図である。図３（ａ）で、ローディング制御部７は、中央制御部９から入力された引き込みコマンドに基づき、ローディング装置６を制御し、車載光ディスク装置１０内へ光ディスク１を引き込む。このとき、光ディスク１は、片持ち位置Ｐで片持ち状態となっている。
【００３０】
図３（ｂ）で、スピンドルモータ制御部５は、中央制御部９から入力された引き込みコマンドに基づき、スピンドルモータ４を制御して、光ディスク１を図３（ｂ）中の矢印Ａ１方向（時計回り）にわずかに回転させる。このような制御により、光ディスク１が後で排出されても、光ディスク１は同じ片持ち位置Ｐで片持ち状態になるのを防ぐことができる。
【００３１】
図３（ｃ）で、ローディング制御部７は、中央制御部９から入力された排出コマンドに基づき、ローディング装置６を制御し、車載光ディスク装置１０から光ディスク１を図３（ｃ）中の矢印Ａ２方向に排出する。図３（ｄ）で、再排出時には、光ディスク１は、片持ち位置Ｐとは異なる位置で片持ち状態となっている。
【００３２】
図３（ｅ）で、中央制御部９が内蔵するタイマーにより、光ディスク１が図３（ｄ）に示す片持ち状態で所定時間経過すると、中央制御部９がローディング制御部７を制御して、ローディング装置６により、車載光ディスク装置１０内へ光ディスク１を引き込む。
【００３３】
このように、本実施の形態に係る車載光ディスク装置１０は、光ディスク１が常に同じ片持ち位置Ｐでローディングローラ６ａにより挟持されて片持ち状態になることを防ぐことができる。そのため、本実施の形態に係る車載光ディスク装置１０は、光ディスク１を同じ箇所（片持ち位置Ｐ）で長時間保持することがなくなるので、光ディスク１を損傷することなく排出できる。更には、片持ち状態で所定時間経過すると、中央制御部９が、ローディング制御部７を制御して、ローディング装置６により、再び光ディスク１を車載光ディスク装置１０内に引き込む。そのため、光ディスク１が片持ち状態になることを防ぐ。
【００３４】
次に、図４を参照して、車載光ディスク装置１０の動作フローについて説明する。ステップＳＴ４０１では、中央制御部９が光ディスク１の排出コマンドに基づき、ローディング装置６を介して、ローディングローラ６ａを回転させて、光ディスク１を排出する。
【００３５】
ステップＳＴ４０３では、光ディスク１の排出が完了する。ステップＳＴ４０５では、中央制御部９は、保持状態検出部８の検出結果に基づき、光ディスク１が片持ち状態であるか否か判定する。光ディスク１が片持ち状態であると判定された場合には、ステップＳＴ４０７へ遷移し、光ディスク１が片持ち状態でないと判定された場合には、処理を終了する。
【００３６】
ステップＳＴ４０７では、中央制御部９は、内蔵するタイマーにより、片持ち状態での光ディスク１の保持時間を測定する。そして、ステップＳＴ４０９へ遷移する。
【００３７】
ステップＳＴ４０９では、中央制御部９は、内蔵するタイマーにより、片持ち状態で光ディスク１を保持してから所定時間経過したかどうかを判定する。片持ち状態で光ディスク１を保持してから所定時間経過したと判定された場合には、ステップＳＴ４１１へ遷移し、片持ち状態で光ディスク１を保持してから所定時間経過していないと判定された場合には、ステップＳＴ４０７へ遷移する。
【００３８】
ステップＳＴ４１１では、片持ち状態で光ディスク１を保持してから所定時間経過した場合には、中央制御部９は、ローディング制御部７を介して、ローディング装置６により、車載光ディスク装置１０内へ光ディスク１を引き込む。
【００３９】
ステップＳＴ４１３では、中央制御部９は、再度排出コマンドを受けて、光ディスク１の排出動作を開始する。そして、ステップＳＴ４１５へ遷移する。
【００４０】
ステップＳＴ４１５では、中央制御部９は、光ディスク１の排出を開始する際には、車載光ディスク装置１０が起動しているか否かを判定する。そして、車載光ディスク装置１０が起動していない場合には、ステップＳＴ４１７へ遷移し、そうでない場合には、ステップＳＴ４０３へ遷移する。
【産業上の利用可能性】
【００４１】
本発明に係る車載電子機器は、光ディスクを同じ位置で片持ち状態となるのを防止できるという効果を有し、光ディスク装置等として有用である。
【符号の説明】
【００４２】
１      光ディスク
２      光ディスクヘッド装置
３      光ディスクヘッド制御部
４      スピンドルモータ
５      スピンドルモータ制御部
６      ローディング装置
６ａ    ローディングローラ
７      ローディング制御部
８      保持状態検出部
９      中央制御部
１０    車載光ディスク装置
【図１】
2012195032.tif 000003
【図２】
2012195032.tif 000004
【図３】
2012195032.tif 000005
【図４】
2012195032.tif 000006